(57)【要約】【課題】  製品の評価を行なうために、製品を構成する部品情報の収集を効率的に行なう。【解決手段】  製品構成データ(ＢＯＭ)と部品ＤＢによる製品の評価に先立って、評価に必要な情報をリスト化し、部品ＤＢに保有されていない情報を抽出し、不足情報として一覧化する。予め保有する部品の情報を提供する情報源データベースから、不足情報を提供可能な情報源を抽出し、当該情報源に情報要求のメッセージを送出する。情報要求のメッセージを受け取った情報源のシステムは、情報を評価システムの部品ＤＢに直接登録する。ユニット品の場合は、情報源のシステムは、ユニットのＢＯＭをＢＯＭデータを提供する。【選択図】  図２
2005107883.tif 000002
【特許請求の範囲】
【請求項１】
開発中の製品の部品構成に従って、当該製品の設計を評価する製品評価システムであって、
製品の部品構成を格納する部品構成情報格納手段と、
部品ごとに前記評価に必要な部品の属性情報を保持する部品属性情報格納手段と、
部品ごとに前記属性情報を取得するための情報源へのアクセスデータを保持する情報源格納手段と、
前記部品構成情報格納手段に格納されている部品構成に従って、前記部品属性情報格納手段から必要な前記属性情報を抽出し、当該抽出した属性情報を用いて前記製品の設計の評価を行なう設計評価手段と、
前記設計評価手段における前記属性情報の抽出の際に、前記評価に必要な前記属性情報が前記部品属性情報格納手段に格納されていない場合、当該格納されていない情報を不足情報として、当該情報が必要な部品ごとに抽出する不足情報抽出手段と、
前記不足情報抽出手段において情報が必要な部品として抽出された部品に対応する情報源を前記情報源格納手段から取得し、当該部品ごとに前記不足情報を要求する情報要求メッセージを生成する不足情報要求メッセージ生成手段と、
前記生成した不足情報要求メッセージを、当該情報源に送信するメッセージ送出手段と、
を備えることを特徴とする製品評価システム。
【請求項２】
請求項１記載の製品評価システムであって、
登録監視手段をさらに備え、
前記不足情報抽出手段は、前記抽出した不足情報を部品ごとに不足情報リストとしてリスト化し、
前記登録監視手段は、所定のタイミングで前記部品属性情報格納手段にアクセスし、前記不足情報リスト内の不足情報が格納されているか検索し、格納されている場合、前記不足情報リスト内から前記格納されている不足情報を削除するとともに、前記不足情報リスト内の全ての不足情報が削除された場合、情報収集が完了したことを前記設計評価手段に通知し、
前記設計評価手段は、前記通知を受けて、前記抽出および前記設計の評価を行なうこと
を特徴とする製品評価システム。
【請求項３】
請求項１または２記載の製品評価システムであって、
部品ごとに評価に必要な部品の組み立てや加工に係る加工組立属性情報を保持する加工組立情報格納手段をさらに備え、
前記情報源格納手段は、部品ごとに前記加工組立属性情報を取得するための情報源へのアクセスデータをさらに保持し、
前記設計評価手段は、前記部品構成情報格納手段に格納されている部品構成に従って、前記加工組立属性情報格納手段から必要な前記加工組立属性情報を抽出し、前記設計の評価にあたり、当該抽出した加工組立属性情報もさらに用い、
前記不足情報抽出手段は、前記設計評価手段における前記加工組立情報抽出の際に、前記評価に必要な前記加工組立属性情報が前記加工組立属性情報格納手段に格納されていない場合、当該格納されていない情報を、不足加工組立属性情報として対応する部品ごとに抽出し、
前記不足情報要求メッセージ生成手段は、前記不足情報抽出手段において部品ごとに抽出された不足加工組立属性情報の情報源を前記情報源格納手段から取得し、当該部品ごとに前記不足加工組立属性情報を要求する加工組立情報要求メッセージを生成し、
前記メッセージ送出手段は、前記生成した加工組立情報要求メッセージを、当該情報源に送信する
ことを特徴とする製品評価システム。
【請求項４】
請求項３記載の製品評価システムであって、
前記不足情報抽出手段は、前記抽出した不足加工組立情報を部品ごとに不足加工組立情報リストとしてリスト化し、
前記登録監視手段は、所定のタイミングで前記加工組立属性情報格納手段にアクセスし、前記不足加工組立情報リスト内の不足加工組立情報が格納されているか検索し、格納されている場合、前記不足加工組立情報リスト内から前記格納されている不足加工組立情報を削除するとともに、前記不足加工組立情報リスト内の全ての不足加工組立情報が削除された場合、情報収集が完了したことを前記設計評価手段に通知すること、
を特徴とする製品評価システム。
【請求項５】
請求項２または４記載の製品評価システムであって、
前記登録監視手段は、さらに、所定のタイミングで前記部品構成情報格納手段にアクセスし、前記不足情報リスト内に不足情報があるとして抽出されている部品の構成情報が更新されているか否かを検索し、更新されている場合、前記不足情報リスト内から前記更新されている部品の不足情報を削除すること
を特徴とする製品評価システム。
【請求項６】
開発中の製品の部品構成に従って当該製品の設計を評価するために必要な前記製品を構成する部品の属性情報であって自身の部品の属性情報を格納しているデータベースに保有されていない属性情報を収集する情報収集方法であって、
前記評価を行なうために必要な情報であって、前記データベースに保有されていない属性情報を部品ごとに不足属性情報として抽出する不足情報抽出ステップと、
部品ごとに当該部品に関する属性情報を提供する情報源を格納している情報源格納データベースから、前記不足情報抽出ステップにおいて不足属性情報が抽出された部品の属性情報を提供する前記情報源を抽出する情報源抽出ステップと、
前記情報源抽出ステップにおいて抽出した情報源に対し、前記不足情報抽出ステップにおいて抽出した不足属性情報を通知し、当該不足属性情報の提供を依頼する不足情報提供依頼ステップと、
所定のタイミングで前記属性情報を格納しているデータベースにアクセスし、前記不足情報抽出ステップにおいて抽出された前記不足属性情報の提供状況を確認する情報提供状況確認ステップと、
前記情報提供状況確認ステップにおいて、全ての不足属性情報が提供されたと判断された場合、設計の評価を行なう設計評価ステップと
を備えることを特徴とする情報収集方法。
【請求項７】
開発中の製品の部品構成に従って、当該製品の設計を評価する製品評価システムに必要な部品の属性情報を収集する属性情報収集システムであって、
請求項１または２記載の製品評価システムと、
前記情報源が有する情報提供システムとを備え、
前記情報提供システムは、
前記不足情報要求メッセージを受信する受信手段と、
前記受信手段において受信した不足情報要求メッセージ内に含まれる部品ごとの不足情報を作成する不足情報作成手段と、
前記不足情報作成手段において作成した不足情報を、前記製品評価システムの部品属性情報格納手段に直接格納する不足情報登録手段と
を備えることを特徴とする属性情報収集システム。
【請求項８】
請求項１〜５のいずれか１項記載の製品評価システムであって、
部品検索手段と
部品構成編集手段と
表示装置と
受付手段と、をさらに備え、
部品検索手段は、前記受付手段において受け付けた条件に合致する部品を、前記部品属性情報格納手段を検索して抽出し、当該部品名を、当該属性情報とともに前記表示装置に表示し、
ＢＯＭ編集手段は、前記部品検索手段が検索し抽出した部品から、前記受付手段において受け付けた部品を用いて、前記製品の部品構成を生成し、前記部品構成情報格納手段に格納すること
を特徴とする製品評価システム。
【発明の詳細な説明】
【技術分野】
【０００１】
本発明は、設計を評価するツールに必要な情報を収集する技術に関する。
【背景技術】
【０００２】
メーカにおいて製品開発の効率化は重要課題であり、特に、製品開発期間短縮は至上命題である。短期間で開発することにより、製品の市場投入を早め、売り上げと先行者利益を確保する事ができるためである。
【０００３】
製品開発を早める手段の１つに、製品開発の早い段階での設計内容の評価がある。開発の初期に設計内容を多角的に評価することにより、開発の後半での問題の発生による後戻りを避けることができ、全体の工程を減らすことができる。
【０００４】
製品を開発する場合、開発者は、目標とする機能や性能を満足する製品の構造を設計し、それを実現するために必要な部品の選定を行なう。開発初期に行なう設計内容の評価は、このようにして出来上がる製品の部品構成を基に、目標とする機能や性能が達成されているかどうか確認するものである。
【０００５】
現在、このような評価は、試作やシミュレーションなどにより行なわれ、シミュレーション用の評価ツールが各種提供されている（例えば、特許文献１、２参照。）。
【０００６】
また、最近では、出来上がる製品の機能、性能だけでなく、製品全体のリサイクル適合性、材料面での環境負荷を加味し、製品の評価を行なう評価ツールもある（例えば、特許文献３参照）。
【０００７】
製品の環境負荷を加味した評価を行なう際には、原材料調達段階における製品の材料情報の入力が必要であるが、この操作を迅速かつ簡易にするために、産業連関表を利用する技術がある（例えば、特許文献４参照。）。
【０００８】
【特許文献１】特開２０００−３３１０３６号公報
【特許文献２】特開平９-７３４８５号公報
【特許文献３】特開２００１-５８５５号公報
【特許文献４】特開２００２-１０９１５７号公報
【発明の開示】
【発明が解決しようとする課題】
【０００９】
上述のように、製品の開発段階での評価のためのツールが各種提案されているが、これらの製品評価ツールには、以下の問題がある。
【００１０】
製品評価にあたり、その製品の調達性、製造性、環境影響、それらの組み合わせとなるコストなどを評価するためには、その製品を構成する部品それぞれの、化学物質組成、購入時の価格、納期などの仕様や特性といった属性情報、また、その製品の組み立てや加工の方法といった加工組立属性情報などの様々な情報が必要である。
【００１１】
ところが、従来の製品評価方法は、評価に必要な様々な情報は存在することが前提であり、その収集方法については、何ら考慮されていない。
【００１２】
しかも、このような属性情報は、部品供給側が保有するものであり、評価を行なう側であるメーカ側にはない。そのため、メーカは、部品を製造、販売しているメーカや、販売元となる外部の企業から情報を入手する必要がある。このとき、情報を入手するために、部品ごと、供給会社ごとに、企業の担当者間でのやり取りが発生し、時間や手間がかかる。
【００１３】
また、部品が、複数の部品から構成されたユニットである場合、部品メーカは、それを構成する部品の属性情報を収集して、評価者側へ提供する必要がある。しかし、そのような属性情報の収集を行なうためには、多くの工数がかかり、また大手企業でないと部品メーカから情報の提供を受けられない場合も多い。このため、部品メーカが属性情報を提供できないこともある。
【００１４】
このように、製品評価を行なうために必須である、構成部品の属性情報を収集するのは、現状ではかなり困難である。
【００１５】
本発明は、このような事情に鑑みてなされたものであり、製品開発における設計結果に対する評価を的確かつ正確に行なうため、評価に必要な部品の属性情報などを効率的に収集する仕組みを備えた製品評価システムを提供することを目的とする。
【課題を解決するための手段】
【００１６】
上記課題を解決するために、本発明は、開発中の製品の部品構成に従って、当該製品の設計を評価する製品評価システムであって、評価に必要な属性情報であって不足しているものを抽出し、情報源に要求する機能を備える。また、情報源から属性情報が格納されているデータベースに直接アクセスし、登録する機能を備える。さらに、属性情報が格納されているデータベースを定期的に監視し、収集の進み具合を確認する機能を備える。
【００１７】
具体的には、本発明の製品評価システムは、例えば、開発中の製品の部品構成に従って、当該製品の設計を評価する製品評価システムであって、製品の部品構成を格納する部品構成情報格納手段と、部品ごとに前記評価に必要な部品の属性情報を保持する部品属性情報格納手段と、部品ごとに前記属性情報を取得するための情報源へのアクセスデータを保持する情報源格納手段と、前記部品構成情報格納手段に格納されている部品構成に従って、前記部品属性情報格納手段から必要な前記属性情報を抽出し、当該抽出した属性情報を用いて前記製品の設計の評価を行なう設計評価手段と、前記設計評価手段における前記属性情報の抽出の際に、前記評価に必要な前記属性情報が前記部品属性情報格納手段に格納されていない場合、当該格納されていない情報を不足情報として、当該情報が必要な部品ごとに抽出する不足情報抽出手段と、前記不足情報抽出手段において情報が必要な部品として抽出された部品に対応する情報源を前記情報源格納手段から取得し、当該部品ごとに前記不足情報を要求する情報要求メッセージを生成する不足情報要求メッセージ生成手段と、前記生成した不足情報要求メッセージを、当該情報源に送信するメッセージ送出手段と、を備える。
【発明の効果】
【００１８】
本発明は、製品開発における設計結果に対する評価を的確かつ正確に行なうため、評価に必要な部品の属性情報等を効率的に収集することができる。
【発明を実施するための最良の形態】
【００１９】
以下に、本発明の一実施形態を図面を参照して説明する。
【００２０】
最初に、本実施形態の全体構成について、図１を用いて説明する。本実施形態は、製品セットメーカ７０１の部品評価システム１１０と、部品メーカＡ社７０２の部品情報提供システム１２０と、部品情報提供会社であるＢ社７０３の収集部品情報提供システム１３０と、製造/加工会社Ｃ社７０４の加工組立属性情報提供システム１５０と、ユニットメーカＤ社７０５のユニット部品情報提供システム１６０とによって構成される。
【００２１】
ここで、それぞれのシステムを有する部品メーカＡ社７０２、部品情報提供会社Ｂ社７０３、製造/加工会社Ｃ社７０４、ユニットメーカＤ社７０５は、それぞれ何社であってもよく、数に制限はない。また、同一の会社であってもよい。
【００２２】
また、それぞれの会社の各システムは、専用線またはインターネット、イントラネットなどのネットワーク７０６で互いに接続され、情報の送受信を行なう。
【００２３】
製品セットメーカ７０１は、評価の対象となる製品を設計している。部品評価システム１１０は、後述するＢＯＭ（Ｂｉｌｌ ｏｆ Ｍａｔｅｒｉａｌ）データと評価ツールとを用い、開発中の製品の評価を行なう。製品のＢＯＭデータは、製品セットメーカ７０１の設計部門などで作成される。
【００２４】
部品メーカＡ社７０２は、製品セットメーカ７０１で設計される製品の構成部品を供給する会社を代表するものである。部品情報提供システム１２０は、製品セットメーカ７０１の部品評価システム１１０からの要求に応じて、自分が保有する部品の属性情報を部品評価システム１１０に提供する。
【００２５】
部品情報提供会社Ｂ社７０３は、部品に関する各種の詳細な属性情報を専門に管理し、その部品を扱う製品セットメーカ７０１などからの要求に応じて、管理している属性情報を提供する専門会社を代表するものである。
【００２６】
収集部品情報提供システム１３０は、部品情報提供会社Ｂ社７０３が複数の部品製造メーカＡ社７０２などから収集した属性情報を管理し、部品評価システム１１０からの要求に応じて、必要な部品の属性情報を要求元の部品評価システム１１０に提供する。
【００２７】
製造/加工会社Ｃ社７０４は、製品セットメーカ７０１の製品の部品の一部の加工または組立を行なう会社で、部品を加工したり組み立てたりすることによる特性の変化などの加工情報や組立情報などを保有する会社を代表するものである。加工組立属性情報提供システム１５０は、開発中の製品を評価するために必要な加工、組立属性情報を、要求に応じて部品評価システム１１０に提供する。
【００２８】
ユニットメーカＤ社７０５は、製品セットメーカ７０１の製品の部品を供給する会社であり、部品メーカＡ社７０２と同じ立場である。しかし、このユニットメーカＤ社７０５は、提供する部品が、他社から購入した部品の組み合わせにより構成されるユニット品であり、提供する部品そのものの属性情報を提供できないものを代表するものである。
【００２９】
本実施形態では、ユニット部品情報提供システム１６０は、部品評価システム１１０からの要求に応じて、情報の提供を要求されたユニット品の属性情報の代わりに、当該ユニット品を構成する部品の属性データ、または、個々の構成部品の情報源のデータを、部品評価システム１１０に提供する。
【００３０】
次に、上記の全体構成を基に、本実施形態の機能構成を説明する。図２は、本実施形態の機能構成図である。
【００３１】
本図に示すように、本実施形態の製品評価システム１１０は、ＢＯＭを評価するＢＯＭ評価部１０３と、評価に必要な部品の属性情報などの収集状況をチェックする収集状況チェック部１８１と、属性情報が不足している部品を抽出する不足情報抽出部１１２と、不足している情報を外部に要求する情報要求部１１３とを備える。
【００３２】
また、データベースとして、ＢＯＭデータベース１０１と、部品属性データベース１０２と、加工組立属性データベース１４１と、部品情報源データベース１１１と、情報不足部品リスト１１５とを備える。
【００３３】
ＢＯＭデータベース１０１には、評価対象の製品を構成している部品の構成情報であるＢＯＭデータが管理されている。ＢＯＭデータは、製品の設計、開発をしている設計者により作成され、ＢＯＭデータベース１０１に登録される。
【００３４】
ＢＯＭデータベース１０１のデータ構造の一例を図３に示す。ＢＯＭデータベース１０１に格納されるＢＯＭデータは品目マスタであるＰＮ（Parts Number）２２１と、部品表であるＰＳ（Parts Structure）２２４とを備える。ＰＮ２２１は、部品を識別するための品目コード２２２と、部品の名称を表す品目名称２２３とからなる。ＰＳ２２４は、ある部品の品目コードである親品目コード２２５と、その部品の子部品である部品の品目コードである子品目コード２２６と、その子品目の個数である員数２２７とからなる。
【００３５】
ＢＯＭデータベース１０１では、部品は階層構造で管理される。製品９９９の階層構造の一例を図４に示す。
【００３６】
本図に示すように、第１階層の製品９９９（１ａ）は第２階層のユニット１２３（２ａ）およびユニット４５６（２ｂ）から構成され、それぞれ、ユニット１２３は、第３階層の部品１１１１１、部品２２２２２、部品３３３３３（３ａ）、また、ユニット４５６は、第３階層の部品４４４４４、部品５５５５５、部品６６６６６（３ｃ）とから構成される。
【００３７】
図５に、図４に示す階層構造を有する部品で構成される製品９９９のＰＮ２２１のデータ構成の一例を、図６に、同製品９９９のＰＳ２２４のデータ構成の一例を示す。図５において、品目コード２２２、品目名称２２３は、それぞれ図３の品目コード２２２、品目名称２２３に相当する。また、図６の親品目コード２２５、子品目コード２２６、員数２２７は、それぞれ図３の親品目コード２２５、子品目コード２２６、員数２２７に相当する。
【００３８】
部品属性データベース１０２は、製品を構成する部品情報を格納する。部品属性情報は、部品の仕様を表現する情報のほか、化学物質の組成、部品購入時の価格や納期などである。図１３に、部品属性データベース１０２の一例を示す。
【００３９】
本図に示すように、部品属性データベース１０２は、部品番号を格納する部品番号格納欄１０２ａと、その部品の種類を格納する分類欄１０２ｂと、その部品の仕様を格納する仕様欄１０２ｃと、価格、納期、化学組成などの属性情報をそれぞれ格納する属性情報格納欄１０２ｄとを備える。
【００４０】
加工組立属性データベース１４１は、部品を組み立てたり加工したりする際に発生する、製品の評価に影響を与えるような加工組立属性情報を格納する。加工組立属性情報は、各部品ごとの取り付け方法や加工方法のデータであり、例えば「取り付け時は、ねじ止めする」、「製造時に部品を曲げる」といったデータである。加工組立属性データベース１４１に格納されているデータに基づき、ＢＯＭ評価部１０３が、製品の組立性、加工性などを評価する。
【００４１】
ＢＯＭ評価部１０３は、ＢＯＭデータベース１０１に登録されているＢＯＭデータと、そのＢＯＭデータの評価に必要な部品属性データベース１０２に登録されている部品属性データおよび加工組立属性データベース１４１に登録されている加工組立属性情報とを利用して、製品の評価を行なう部分である。評価のアルゴリズムは、従来から使われているものを用いる。また、評価に先立って、評価対象ごとに、評価に必要な属性データ、加工組立属性データの一覧を予め保有している。
【００４２】
なお、ＢＯＭ評価部１０３での評価対象は、ＢＯＭデータと部品属性データおよび加工組立属性情報との組み合わせで製品の所定の特性値が算出でき、それが予め与えられた条件を満たすか否かチェックが可能な項目である。例えば、製品を構成する部品の調達リードタイム、調達コスト、組立性、含有する化学物質などである。
【００４３】
また、ＣＡＤ（Ｃｏｍｐｕｔｅｒ Ａｉｄｅｄ Ｄｅｓｉｇｎ）による部品の形状データを用いた部品間の干渉チェックや、その形状データを用いた、応力に対する曲げなどの物理現象のシミュレーションなどのＣＡＥ（Ｃｏｍｐｕｔｅｒ Ａｉｄｅｄ Ｅｎｇｉｎｅｅｒｉｎｇ）なども評価の対象とすることも考えられる。
【００４４】
部品情報源データベース１１１は、製品を構成する部品の属性情報および加工組立属性情報の入手先である情報源が格納されている。部品ごとに、または加工組立属性情報ごとに、例えば、その部品の製造元となる部品メーカなど、それらの情報を入手するためのアクセス先が情報源として格納される。本実施形態では、情報源としての会社名等と、アクセス先としての電子メールアドレスが格納される。
【００４５】
なお、本実施形態では、アクセス先として、電子メールアドレスを格納しているが、これに限られない。例えば、部品メーカが情報を保有するシステムやデータベースに直接アクセスするためのＩＰアドレスやＵＲＬ、または、アプリケーションソフトウエアなどであってもよい。また、情報源が会社や人の場合には、電話やＦＡＸ番号などが格納されてもよい。
【００４６】
図７に、部品情報源データベース１１１のデータ構造の一例を示す。
【００４７】
本図に示すように、部品情報源データベース１１１は、品目コードを格納する品目コード格納部２３１と、品目コードごとに、その情報源を格納する情報源格納部２３２と、その情報源へのアクセス先を格納するアクセス先格納部２３３とを備える。
【００４８】
不足情報抽出部１１２は、ＢＯＭデータベース１０１に登録されているＢＯＭデータを用いて、ＢＯＭ評価部１０３で評価を行なうにあたり、必要なデータであって、部品属性データベース１０２および加工組立属性データベース１４１に登録されていないものを抽出し、情報不足部品リスト１１５を作成する。具体的には、ＢＯＭ評価部１０３が評価対象項目ごとに予め保有している評価に必要なデータのリストと、ＢＯＭデータとを照合し、ＢＯＭデータ内の部品毎に、必要な属性情報を抽出し、部品属性データベース１０２および加工組立属性データベース１４１を参照し、その有無を確認する。本処理は、評価対象のＢＯＭデータごとに、必要なデータが異なるため、ＢＯＭ評価部１０３が、評価対象の指定を受け付けた後、評価に先立って行なわれる。
【００４９】
図１４に、情報不足部品リスト１１５の一例を示す。本図に示すように、情報不足部品リスト１１５は、部品番号を格納する部品番号格納欄１１５ａと、評価に必要であるが現在部品属性データベース１０２等に格納されていない不足している情報の種類を格納する不足情報種類格納欄１１５ｂとを備える。
【００５０】
情報要求部１１３は、不足情報抽出部１１２が出力した情報不足部品リスト１１５に基づいて、対応する部品等の情報源を部品情報源データベース１１１から抽出し、抽出した情報源に情報提供を要求するメッセージである情報要求メッセージ１１４を出力する。
【００５１】
本実施形態では、情報要求メッセージ１１４は、電子メールで送付される。このため、電子メールアドレス毎にこの情報要求メッセージ１１４は作成される。この情報要求メッセージ１１４は、例えば、要求する情報の種類などが表示されるＵＲＬのみを送付するものであってもよいし、情報要求メッセージ１１４内に、要求する情報の種類、情報の送付先、必要な属性、登録の方法など、要求内容が詳細に記述されていてもよい。また、送付手段は、電子メールに限られない。
【００５２】
部品評価システム１１０は、情報要求部１１３が情報源の電子メールアドレスごとに作成した、情報要求に必要なデータを、図示しないＷｅｂコンテンツデータベースに保持する。このデータベースには、例えば、情報源の電子メールアドレスごとに、情報を要求する部品の番号、相手先の部品の番号、要求する属性情報の内容、送付先、登録方法などの要求情報データが格納される。また、Ｗｅｂコンテンツデータベースには、Ｗｅｂページ画面のデータも格納され、図示しないＷｅｂサーバ機能は、クライアントからコンテンツの送信要求を受け付けると、要求情報データを用いて、Ｗｅｂページを生成し、依頼元のクライアントに送信する。
【００５３】
収集状況チェック部１８１は、ＢＯＭデータベースを作成する際に不足した情報を取得するために、情報要求部１１３が送出した情報要求メッセージ１１４に基づき、部品属性データベース１０２、加工組立属性データベース１４１、および、ＢＯＭデータベース１０１への情報の登録状況をチェックする。具体的には、所定のタイミングで、各データベース１０２、１４１、１０１に新たに登録されたデータを抽出し、情報不足部品リスト１１５に登録されているデータがその中にあれば、情報不足部品リスト１１５から、合致したデータを削除する。例えば、情報不足部品リスト１１５の１のデータについて、当該データの部品番号格納欄１１５ａに格納されている部品番号をキーに、部品属性データベース１０２を検索し、当該部品番号を有するデータの属性情報格納欄１０２ｄに、不足情報種類格納欄１１５ｂに格納されている種類の属性情報が入力されているか確認する。格納されていた場合、情報不足部品リスト１１５のそのデータを削除する。
【００５４】
次に、情報要求部１１３から情報要求メッセージ１１４を受け、情報を提供する側の機能構成について、同じく図１を用いて説明する。
【００５５】
図１に示すように、部品メーカＡ社７０２の部品情報提供システム１２０は、受け取った情報要求メッセージ１１４に従って、情報を要求された部品の属性情報を作成する部品属性情報作成部１２１と、部品属性情報作成部において作成した部品の属性情報を部品属性データベース１０２に登録する部品属性登録部１２２とを備える。なお、部品属性登録部１２２は、情報要求メッセージ１１４に指示された方法で、部品属性データベース１０２に登録する。
【００５６】
また、部品情報提供会社Ｂ社７０３の収集部品情報提供システム１３０は、自身が収集した部品に関する属性情報を管理する部品属性外部データベース１３１と、そこから、情報要求メッセージ１１４により要求された部品を検索して抽出する部品属性検索部１３２と、情報要求メッセージ１１４に従って、抽出した部品の属性データを部品属性データベース１０２に登録する部品属性登録部１３３とを備える。
【００５７】
部品属性外部データベース１３１において管理されるデータは、基本的には部品属性データベース１０２と同様で、部品に関する仕様の情報、化学物質の組成、部品購入時の価格、納期などの属性情報である。
【００５８】
さらに、製造/加工会社Ｃ社７０４の加工組立属性情報提供システム１５０は、情報要求メッセージ１１４による要求に従い、所望の部品を加工したり組み立てたりする際に部品に影響を与える情報を新たに作成したり、自身が保有しているデータベースから検索して抽出して作成する加工/組立属性作成部１５１と、情報要求メッセージ１１４の指示に従って、加工/組立属性作成部１５１で作成または抽出した結果を加工組立属性データベース１４１に登録する加工／組立属性登録部１５２とを備える。
【００５９】
最後に、ユニットメーカＤ社７０５のユニット部品情報提供システム１６０について説明する。ユニット部品情報提供システム１６０は、情報要求メッセージ１１４によって要求された部品のＢＯＭデータを作成するとともに、ＢＯＭデータ内の個々の部品の、属性情報、または、連絡先等の情報源の情報を提供する。ユニット部品情報提供システム１６０は、ユニットＢＯＭデータ作成部１６１とユニットＢＯＭ登録部１６２とを有する。
【００６０】
ユニットＢＯＭデータ作成部１６１は、属性情報の提供を要求された部品の構成部品の情報であるＢＯＭデータを作成し、それぞれの属性情報を作成する。ここで、自身が管理しているデータベースに属性情報が格納されている場合は、そこから抽出してもよい。ここで、作成したＢＯＭデータを構成する個々の部品の属性情報の作成ができない場合は、ユニットＢＯＭデータ作成部１６１は、作成したＢＯＭデータを構成する個々の部品の属性情報の入手先であるメーカや取引先のデータを情報源として作成する。
【００６１】
ユニットＢＯＭ登録部１６２は、ユニットＢＯＭデータ作成部１６１が生成したＢＯＭデータと、その構成部品それぞれの属性情報、または、情報源の情報とを、情報要求メッセージ１１４に従って、それぞれ、ＢＯＭデータベース１０１、および、部品属性情報データベース１０２または部品情報源データベース１１１に登録する。
【００６２】
以上、各社のシステムごとの機能を説明した。
【００６３】
上記の、部品評価システム１１０、部品情報提供システム１２０、収集部品情報提供システム１３０、加工組立属性情報提供システム１５０、および、ユニット部品情報提供システム１６０は、例えば、ＣＰＵ、メモリ、入出力装置、ネットワーク接続機能などを備えたパーソナルコンピュータ、サーバコンピュータ等の情報処理装置で実現することができる。部品評価システム１１０と他のシステム間と情報の送受信は、例えばＷｅｂページを介して行なうようにすることができる。このとき、部品評価システム１１０は、Ｗｅｂサーバ機能を備え、他のシステムはＷｅｂブラウザ機能を備える。
【００６４】
次に、これらの機能を用いて、製品を開発中に設計評価を行なうために、必要な情報を収集する手順について、図を用いて説明する。
【００６５】
図８は、本実施形態における製品評価時の部品収集の流れを説明するための図である。
【００６６】
本処理は、製品セットメーカ７０１の製品評価システム１１０が、製品のＢＯＭデータを用いて、設計評価を行なう際、不足している情報を抽出し、その情報を情報提供者側のシステム（本実施形態では、部品情報提供システム１２０、収集部品情報提供システム１３０、加工組立属性情報提供システム１５０、ユニット部品情報提供システム１６０）に要求する。製品評価システム１１０は、情報提供者側の各システム１２０、１３０、１５０、１６０から、データベースに情報が登録される状況を監視し、要求した全ての情報が揃ったら、再度設計評価を行なう。以下にその詳細を説明する。
【００６７】
まず、ＢＯＭ評価部１０３は、評価対象製品および評価対象項目の指定を受け付けると、ＢＯＭデータベース１０１から評価の対象とする製品のＢＯＭデータを取り出す（ステップ８０１）。
【００６８】
ＢＯＭ評価部１０３は、ステップ８０１で抽出したＢＯＭデータと、指定を受け付けた評価対象項目の評価を行なう場合に必要なデータのリストとを用い、指定製品の評価に必要な全データの種類をリストアップする（ステップ８０２）。次に、ＢＯＭ評価部１０３は、ステップ８０２で作成したリストに従って、部品属性データベース１０２および加工組立属性データベース１４１から、データを抽出する（ステップ８０３）。ここで、評価に必要な全てのデータが揃っていた場合（ステップ８０４）、そのまま評価を行ない（ステップ８１１）、処理は完了する。なお、評価結果は、設計者が参照し、設計に反映する。
【００６９】
一方、ステップ８０４において、評価に必要なデータが部品属性データベース１０２になかった場合、ＢＯＭ評価部１０３は、不足情報抽出部１１２に、部品ごとに不足している情報を基に、情報不足部品リスト１１５を作成させる（ステップ８０５）。
【００７０】
情報要求部１１３は、情報不足部品リスト１１５を受け取ると、部品情報源データベース１１１を参照し、情報の要求先（本実施形態では、電子メールアドレス）ごとに情報要求メッセージ１１４を作成する（ステップ８０６）。そして、情報要求部１１３は、作成した情報要求メッセージ１１４を、電子メールにて情報の要求先に送付する。
【００７１】
情報要求メッセージ１１４を受け取った情報提供者側のシステムの、部品属性作成部１２１、部品属性検索部１３２、加工組立属性作成部１５１、ユニットＢＯＭデータ作成部１６１は、要求された部品属性データ等を生成し（ステップ８０７）、それぞれ、部品属性登録部１２２、部品属性登録部１３３、加工組立属性登録部１５２、ユニットＢＯＭ登録部１６２に、生成した部品属性データ等を部品属性データベース１０２、加工組立属性データベース１４１、ＢＯＭデータベース１０１等に登録させる（ステップ８０８）。
【００７２】
収集状況チェック部１８１は、所定のタイミングで、ステップ８０５で作成した情報不足部品リスト１１５を参照しながら、部品属性データベース１０２、加工組立属性情報データベース１４１、ＢＯＭデータベース１０１への登録状況を確認する（ステップ８０９）。具体的には、収集状況チェック部１８１は、各評価ごとに作成された情報不足部品リスト１１５に含まれている不足情報が、部品属性データベース１０２、または、加工組立属性データベース１４１に登録されるか、または、ＢＯＭデータベース１０１に、情報不足部品リスト１１５に含まれる部品の構成部品の登録があった場合、それぞれ、リストからその情報を削除する。そして、当該評価の不足情報が全て削除された場合、収集状況チェック部１８１は、収集完了と判断する。
【００７３】
収集状況チェック部１８１は、情報不足部品リスト１１５にあげられた全ての情報の収集が完了したら（ステップ８１０）、情報収集完了通知をＢＯＭ評価部１０３に送信する。また、指定された期間を過ぎても情報収集が完了しない場合、情報収集未完了通知をＢＯＭ評価部１０３に送信する。
【００７４】
完了通知を受け取ると、ＢＯＭ評価部１０３は、ステップ８０１に戻り、再度評価を開始する（ステップ８０２）。ステップ８０３において、データ不足の状態でなくなるまで、以上を繰り返す。
【００７５】
なお、ステップ８０９における収集状況チェックで、収集が完了しているにもかかわらず、再度データ不足となり、ステップ８０４に進むのは、以下のような場合である。
【００７６】
ユニット部品情報提供システム１６０が、要求された部品に対する属性情報ではなく、その部品を構成する部品から成るＢＯＭデータをＢＯＭデータベース１０１に送信して登録した場合、元のＢＯＭデータ内のユニット部品のデータが１階層下がる。例えば、部品評価システム１１０の情報要求部１１３が、図４の例のユニット４５６（２ｂ）の属性情報を要求するメッセージを送信し、それを受けて、ユニットＢＯＭ登録部１６２が、その構成部品の情報、すなわちＢＯＭデータとして部品４４４４４、部品５５５５５、部品６６６６６（３ｂ）をＢＯＭデータベース１０１に送信して登録するとともに、それぞれの情報源に関する情報を部品情報源データベース１１１に送信して登録した場合である。
【００７７】
このとき、再度評価を開始の指示を受け付けると、部品評価システム１１０は、新たにＢＯＭデータベース１０１に登録された、部品４４４４４、部品５５５５５、部品６６６６６６の属性情報をその時点では保有していない場合がある。そのような場合、不足情報抽出部１１２により、情報不足部品リスト１１５としてこれらの部品名および必要な属性情報がリストアップされる。そして、情報要求部１１３は、新たなＢＯＭデータとともに登録されたそれぞれの部品情報源である図６の部品メーカＥ、商社Ｆ、部品システムＧに対して、部品属性情報の提供を要求する情報要求メッセージ１１４を送信する。
【００７８】
本実施形態では、このように、情報を提供する側が、たとえ、要求された情報である部品属性情報そのものを保有していない、または、提供できない場合であっても、その部品を構成するＢＯＭデータ、および、それらの情報源さえ提供できれば、その後の情報収集を製品セットメーカ７０１の部品評価システムが肩代わりする。これにより、評価に必要な部品の属性情報等の収集の可能性が高まる。
【００７９】
次に、情報要求部１１３から発信される要求メッセージ１１４を受け取った側の各情報提供システムが必要な部品属性データを生成する処理について説明する。ここでは、ユニットメーカＤ社７０５のユニット部品情報提供システム１６０が、情報要求メッセージ１１４を受け取った場合を例にあげて、説明する。
【００８０】
ユニット部品情報提供システム１６０のユニットＢＯＭデータ作成部１６１は、電子メールによる情報要求メッセージ１１４を受け取ると、利用者の指示に従って、当該情報要求メッセージ１１４を自身の表示装置に表示させる。電子メール内に指定されている部品評価システム１１０のＷｅｂサーバのアドレスを示すＵＲＬにアクセスする指示を利用者から受け付けると、Ｗｅｂブラウザを介して、部品評価システム１１０のＷｅｂサーバにアクセスすることにより、部品属性情報を入力する画面のデータを得、自身のシステムの表示装置に表示する。
【００８１】
なお、ユニットＢＯＭデータ作成部１６１は、情報要求メッセージ１１４を受け取ると、所定のプログラムに従って、内容を解釈し、メッセージ内に含まれるＵＲＬを自動的に抽出し、Ｗｅｂブラウザを介してアクセスし、入力画面を表示させるよう構成してもよい。
【００８２】
部品情報提供システム１２０、加工組立属性情報提供システム１５０、収集部品情報提供システム１３０も、基本的には上記と同様に登録処理を行なう。
【００８３】
なお、提供する部品属性情報等のデータベースを自身のシステム内に保有する場合、例えば、収集部品情報提供システム１３０を例にあげて説明すると、受け取った情報要求メッセージ１１４を、部品属性検索部１３２が解釈し、解釈結果に従って、部品属性外部データベース１３１を検索して、検索結果を、部品属性登録部１３３が部品属性データベース１０２に登録するよう構成してもよい。
【００８４】
具体的には、部品属性検索部１３２は、受信した要求メッセージ１１４を解釈して、そこから、送信先アドレスである部品属性データベース１０２のアドレス、部品を特定する情報である部品番号、および、要求されている属性情報を抽出する。部品属性検索部１３２は、抽出した部品番号を検索キーとして部品属性外部データベース１３１を検索し、得られた部品データから要求されている属性情報を抽出し、送信先アドレスとともに部品属性登録部１３３に受け渡す。部品属性登録部１３３は、受け取った送信先アドレスに向けて、受け取った属性情報を送信することにより、部品属性データベース１０２に登録する。
【００８５】
図１０は、部品属性情報を入力する、部品属性情報入力画面の一例を説明するための図である。
【００８６】
表示される部品属性情報入力画面は、本図に示すように、部品情報提供システム１２０のＵＲＬを示すアドレスバー１０００と、要求先を示す要求先表示部１００５と、要求している部品の一覧を示す要求部品一覧表示部１００６と、登録の指示を受け付ける登録ボタン１０１０と、キャンセルの指示を受け付けるキャンセルボタン１０２０と、部品の構成情報の登録の指示を受け付ける部品構成情報登録ボタン１０３０とを備える。
【００８７】
要求部品一覧表示部１００６は、要求する部品の製品セットメーカ７０１での部品番号を表示する弊社部品番号欄１００１と、部品メーカＡ社７０２の部品番号を入力する御社部品番号欄１００２と、部品の平均納期を格納する平均納期欄１００３と、要求する部品情報を入力する部品情報欄１００４と、要求する部品情報の種類を示す要求属性情報指示欄１００５とを備える。このうち、弊社部品番号欄１００１および要求属性情報指示欄１００５以外の情報を、ユニット部品情報提供システム１６０側から提供する。ここで、要求属性情報指示欄１００５には、各部品毎に、例えば、化学物質組成、重量、価格、など、要求している属性情報の種類が予め表示される。なお、加工組立情報の場合は、本欄に、加工情報、組立情報等の必要としている情報が具体的に記載される。
【００８８】
登録ボタン１０１０は、利用者の登録の意思を受け付ける。なお、部品属性登録部１２２は、登録１０１０ボタンの押下を受けて、Ｗｅｂブラウザを介して入力をされた情報を受け付け、部品評価システム１１０に送信する。受信した部品評価システム１１０は、部品属性データベース１０２に登録する。
【００８９】
キャンセルボタン１０２０は、利用者が入力したものを、部品評価システム１１０に送信しない意思を受け付ける。
【００９０】
キャンセルボタン１０２０は、利用者が入力したものを、部品評価システム１１０に送信しない意思を受け付ける。
【００９１】
部品構成情報登録ボタン１０３０は、部品の属性情報ではなく、当該部品の構成情報、すなわちＢＯＭデータの入力を受け付ける画面に移行する利用者の意思を受け付ける。これは、例えば、情報を要求された部品がユニット品であり、ユニット品そのものの属性情報を提供できない場合、利用される。
【００９２】
Ｗｅｂサーバは、部品構成情報登録ボタン１０３０の入力を受け付けると、部品の属性情報を入力する代わりに、ユニット部品を構成している部品、すなわち、ユニット部品のＢＯＭデータの入力を受け付けるＢＯＭデータ入力画面を表示させ、入力を待つ。
【００９３】
ＢＯＭデータ入力画面の一例を図１１に示す。
【００９４】
本図に示すように、ＢＯＭデータ入力画面は、ＵＲＬを表示するアドレスバー１１００と、ＰＮデータ入力欄１１０１と、ＰＳデータ入力欄１１０２と、登録ボタン１１１０と、キャンセルボタン１１２０とを備える。また、ＰＮデータ入力欄１１０１は、品目コード入力欄１１０１ａと、品目名称入力欄１１０１ｂと、情報源入力欄１１０１ｃと、アクセス先入力欄１１０１ｄとを備える。そして、ＰＳデータ入力欄１１０２は、親品目コード入力欄１１０２ａと、子品目コード入力欄１１０２ｂと、員数入力欄１１０２ｃとを備える。
【００９５】
登録ボタン１１１０、キャンセルボタン１１２０の機能は、それぞれ、部品属性情報入力画面のものと、基本的に同じである。
【００９６】
すなわち、ユニットＢＯＭ登録部１６２は、登録ボタン１１１０の押下を受け付けると、ＰＮデータ入力欄１１０１と、ＰＳデータ入力欄１１０２とにＷｅｂブラウザを介して入力されたデータを受け付け、ＢＯＭデータベース１０１および部品情報源データベース１１１に送信する。なお、部品情報源データベース１１１に送信されるデータは、ＰＮデータ入力欄１１０１の、情報源入力欄１１０１ｃと、アクセス先入力欄１１０１ｄとに入力されたデータである。
【００９７】
なお、以上説明してきたように、本実施形態では、部品メーカ等が生成した属性情報等を直接、部品評価システム１１０のそれぞれのデータベースに登録するように構成している。しかし、これに限られない。例えば、部品評価システム１１０が登録受付部などを備え、この登録受付部において、一旦、部品メーカ等から送信された情報を全て受け付け、その後、この登録受付部において、情報ごとに所定のデータベースに格納するよう構成してもよい。この場合、収集状況チェック部１８１は、登録受付部が受け付けた情報と情報不足部品リスト１１５に登録されている情報とを対比し、収集が完了したか否か判断することができる。
【００９８】
以上のように、本実施形態の部品評価システムは、製品の開発段階で評価を行なうために、必須の部品の属性情報で現在保有していないものを抽出し、情報源に送出する仕組みを備えている。また、情報源側から直接評価システムのデータベースに登録する仕組みを備えている。さらに、情報源側からの登録を確認する仕組みも備えている。このように、本実施形態の部品評価システムは、評価に必須である部品の属性情報等を収集できる可能性を高める仕組みを備えているため、必要な時点で評価を行なえる可能性も高まる。
【００９９】
次に第２の実施形態を説明する。
【０１００】
開発段階で製品の評価を行なうためには、その製品の構成部品等の属性情報が必須である。このため、第１の実施形態では、ユニット部品提供メーカなどで、自身でそのユニット部品の属性情報を提供できない場合であっても情報収集可能な構成を持つ仕組みを説明した。
【０１０１】
しかし、どのような仕組みを有していても、部品メーカ等の情報提供者側は、部品等の属性情報を必ずしも提供する義務はない。どちらかというと、部品メーカ等にとっては、製造設備などの企業秘密情報の提供にもつながるため、情報提供は消極的になりがちである。このため、部品メーカ等に積極的に情報提供を促す動機を持たせた仕組みがあれば、さらに情報収集の確度は高まる。
【０１０２】
本実施形態は、第１の実施形態の、部品等の属性情報の収集の仕組みを備えた製品評価システムに、さらに、積極的に情報の提供を促す仕組みを備えたものである。
【０１０３】
本実施形態の全システムの機能構成図を図９に示す。
【０１０４】
本図に示すように、本実施形態は、図１に示す、第1の実施形態の構成に加え、部品検索部１７１とＢＯＭ編集部１７２とを備える。
【０１０５】
部品検索部１７１は、設計者などが製品の設計、開発時にＢＯＭデータを作成するにあたり、予め与えられた仕様や各種の条件に従って、部品属性データベース１０２からの部品の抽出を支援する。部品検索部１７１は、設計者などから、必要な仕様や条件の入力を受け付け、それに合致する部品を部品属性データベース１０２から抽出する。抽出した結果を、表示装置に表示し、設計者の部品の選択を支援する。ここで、部品検索部１７１は、部品属性データベース１０２に登録されている属性情報も同時に提示する。
【０１０６】
部品検索部１７１の出力の一例である出力結果表示画面を図１２に示す。本図に示すように、出力結果表示画面は、検索対象の部品名、その仕様などを表示する部品仕様表示欄１３００と、検索結果を表示する検索結果表示欄１３１０と、登録ボタン１３２０と、キャンセルボタン１３３０とを備える。検索結果表示欄１３１０は、部品番号欄１３１０ａ、メーカ名欄１３１０ｂ、メーカコード欄１３１０ｃ、平均納期欄１３１０ｄ、属性情報表示欄１３１０ｅ、選択入力欄１３１０ｆとを備える。
【０１０７】
選択入力欄１３１０ｆは、設計者の部品の選択を受け付ける欄で、登録ボタン１３２０は、その選択の確定を受け付け、キャンセルボタン１３３０は、その選択をキャンセルする意思を受け付ける。
【０１０８】
ＢＯＭ編集部１７２は、図１２の出力結果表示画面の登録ボタン１３２０を介して受け付けた部品を用いて、ＢＯＭデータを作成するとともに、作成したＢＯＭデータをＢＯＭデータベース１０１に登録する。
【０１０９】
本実施形態では、このようにして作成されたＢＯＭデータを用いて、ＢＯＭ評価部１０３は、評価を行なう。評価対象の製品、項目の入力および、評価開始の指示を受け付けた後の処理は、第１の実施形態の図８に示す処理フローと基本的に同様である。
【０１１０】
このように、本実施形態では、属性情報が提供されているか否かが、部品選択時にわかる。設計者や開発者にとって、属性情報は評価に必須のものであるため、複数の同じ仕様の部品の中から１つを選択する場合、属性情報が提供されているメーカの部品を選択した方が効率的であり、それを選択する可能性は高い。すなわち、部品メーカ等にとっては、情報を提供すれば、その部品が製品に採用される確率が高まることとなる。これは、部品メーカ等にとって情報提供の大きな動機となり、本実施形態の評価システムの情報収集の促進につながる。
【０１１１】
また、部品検索部１７１が、検索結果を出力する際に、仕様や条件に合致した部品が複数あり、かつ、属性情報の提供がなされている部品となされていない部品とがあった場合、属性情報の提供がなされていない部品は表示しないよう構成してもよい。このような構成とすることで、さらに、属性情報の提供がなされているメーカの部品が選択される度合いが高まり、それは、メーカの属性情報の提供の意欲を高めることとなる。
【０１１２】
さらに、本実施形態において、部品メーカ等の、各属性情報の提供元ごとに、過去の属性情報を提供の度合いを示す情報を算出する提供率算出部１７３と、提供率算出部において算出した情報提供率を保持する情報提供率データベース１７４とを備えてもよい。
【０１１３】
提供率算出部１７３は、所定のタイミングで、部品属性データベース１０２、加工組立属性データベース１４１、情報不足部品リスト１１５などを参照し、情報提供元ごとの、情報提供率を算出する。ここで、情報提供率は、過去に部品評価システム１１０から情報を要求した際に、折り返し、情報を提供された確率である。
【０１１４】
なお、要求すれば、必ず情報を提供されるような状況であり、全ての提供率が１００％である場合は、要求してから情報を提供されるまでの期間を、情報提供率の代わりに求めるようにしてもよい。本処理を行うため、部品属性データベース１０２と、加工組立属性データベース１４１の各属性データベースに、各属性情報の不足が発生した日時、および、当該不足した属性情報が登録された日時などを記録するよう構成してもよい。
【０１１５】
情報提供率を保持することにより、部品検索部１７１は、検索の際、複数のメーカから同じ仕様の部品が提供されていた場合、情報提供率データベース１７４に格納されている情報提供率に従って、提供率の高いメーカの部品から順に表示させ、デフォルトとして１番提供率の高いメーカの部品の選択を受け付ける構成として出力する。本構成をとることにより、情報提供率の高いメーカの部品の選択率をさらに高めることができる。
【０１１６】
なお、表示順を定める情報提供率は、単に情報の提供の有無だけではなく、提供された情報の内容に応じて、より詳細に決定することができる。以下に、提供率算出部１７３が、表示順を決定する情報提供率を算出する一例を説明する。
【０１１７】
ここでは、下記の手順で算出される提供された情報への満足度を数値化したものを情報提供率とし、それぞれの部品は、その数値が高いものから順に表示される。
【０１１８】
図１５に、提供率算出部１７３が、表示順番を決定するための部品の情報満足度を示す情報提供率を算出する手順を示す。ここでは、満足度を示す情報提供率は、部品情報の詳細さ、保証レベル、鮮度によって算出される。
【０１１９】
部品情報の詳細さとは、登録された部品情報の詳細さの度合いにより決定されるものであり、例えば、部品の有害化学物質の含有情報の場合、提供された情報の詳細さに応じて次のような点数を設定する。以下においては、点数として数値が大きいほうが満足度が高いものとし、それぞれのレベルに応じて０点から４点を与える場合を例にあげて説明するが、これに限られない。情報提供率として表示するため、例えば、０〜１００点または０．０１〜１点の間で同様に与えてもよい。これは、他の保証レベル、鮮度などでも同様である。
点数０「無視レベル」：情報提供がされていない。
点数１「有無レベル」：有害物質が含まれる／含まれないという情報のみが提供されている。
点数２「概要レベル」：含有物質の分類単位での含有量が提供されている。
点数３「詳細レベル」：含有物質の特定の分子構造毎の含有量が提供されている。
点数４「十分レベル」：求めている有害物質以外の情報も提供されている。ここで、求めている有害物質以外の情報とは、例えば、物質の含有部位や揮発条件などの補足情報や、有害物質以外の化学物質組成などであり、点数４の「十分レベル」とは、これらの情報も提供されている場合を指す。
【０１２０】
そして、部品情報の保証レベルとは、同じく部品の有害化学物質の含有情報の場合、部品メーカが提供した上記のような物質情報について、部品メーカ自身がどのレベルの保証するかを示すもので、その保証レベルに応じて次のような点数を設定する。
点数０「無視レベル」：保証に関する言及が無い。
点数１「参照レベル」：提供した情報は参考レベルであり、この情報により何らかの損害を被っても、その責任は部品メーカ側にはない、とする。
点数２「部分保証レベル」：提供した情報により、被った被害をある限定された範囲において、その損害額を補償する。
点数３「完全保証レベル」：提供した情報により、被った被害の全損害を補償する。
【０１２１】
そして、部品情報の鮮度とは、提供した情報の更新頻度を表し、それぞれ更新時期に応じて以下のような点数を設定する。
点数０「無視レベル」：情報が提供されていない。
点数１「更新なし」  ：最初に登録されてから、1年以上更新されていない。
点数２「低頻度更新」：最後の更新から1年以上経過している
点数３「中頻度更新」：最後の更新が、１年未満、半年以上である
点数４「高頻度更新」：最後の更新が、半年以内である。
【０１２２】
提供率算出部１７３は、部品属性データベース１０２または加工組立属性データベース１０４に登録された各情報から、これらの評価項目の点数を算出する。すなわち、ステップ１２０２において情報の詳細さに関する点数の算出を行い、ステップ１２０３において情報の保証レベルに関する点数の算出を行い、ステップ１２０４において情報の鮮度に関する点数の算出を行う。
【０１２３】
但し、詳細さ、保証レベルについては、取得した情報を表示画面に提示し、利用者からの点数または点数を算出するために用いるデータの入力を受け付け、それに基づいて算出する。
【０１２４】
次に、各評価項目の点数の算出結果を元に、点数の集計を行い、部品の情報提供率として算出する（ステップ１２０５）。
【０１２５】
次に、ステップ１２０５で集計した各部品の点数を部品メーカごとに集計し、各部品メーカ毎の情報提供率として算出する（ステップ１２０６）。
【０１２６】
部品検索部１７１は、ステップ１２０５で算出した部品の情報提供率に従って、設計者が検索した部品リストの並べ替えを行い、情報提供率として示された数値の大きい部品から提示するようにする。この場合、情報提供率として示された数値が所定の数値以下の部品は表示しないよう構成することもできる。
【０１２７】
また、部品検索部１７１は、個々の部品の情報提供率を用いて表示部品の並べ替えを行うだけでなく、例えば、ステップ１２０６で算出したメーカごとの情報提供率に従って、部品の表示順を決定することも可能である。また、表示順を決定するにあたり、部品の情報提供率およびメーカごとの情報提供率の両者を組み合わせて用いてもよい。
【０１２８】
以上説明してきたように、本実施形態では、評価に必要な属性情報の提供率の高い部品、すなわち、情報提供率の高い会社の部品が優先的に表示されることとなり、そのような会社の部品が、ＢＯＭデータとして選択される可能性が高くなる。従って、部品メーカ等は、情報を提供すればするほど、部品が製品に採用される確率が高くなるため、情報提供の意欲が高まる。これは、情報収集の促進につながる。
【０１２９】
本実施形態の部品評価システムは、製品の開発段階で評価を行なうために、必須の部品の属性情報等を収集する仕組みを備え、さらに、供給者側に積極的に提供する動機付けを与える仕組みを備えているため、評価に必要な部品等の情報収集が促進され、必要な時点で確実に評価を行なえる可能性がさらに高まる。
【図面の簡単な説明】
【０１３０】
【図１】図１は、実施形態における製品評価システムの全体構成図である。
【図２】図２は、第1の実施形態のおける製品評価システム全体の機能構成図である。
【図３】図３は、ＢＯＭデータベースのデータ構造の一例を示す図である。
【図４】図４は、階層構造で管理される部品の一例である。
【図５】図５は、ＰＮデータの一例を示す図である。
【図６】図６は、ＰＳデータの一例を示す図である。
【図７】図７は、部品情報源データベースの一例を示す図である。
【図８】図８は、第1の実施形態における属性情報収集の流れを示す処理フローである。
【図９】図９は、第２の実施形態における製品評価システムの機能構成図である。
【図１０】図１０は、部品属性データ入力画面の一例を説明するための図である。
【図１１】図１１は、ＢＯＭデータ登録画面の一例を説明するための図である。
【図１２】図１２は、第２の実施形態における検索結果出力画面の一例を示す図である。
【図１３】図１３は、部品属性データベースの一例を説明するための図である。
【図１４】図１４は、情報不足部品リストの一例を説明するための図である。
【図１５】図１５は、第２の実施形態における部品の情報満足度を算出する手順を示す図である。
【符号の説明】
【０１３１】
７０１・・・製品セットメーカ、７０２・・・部品メーカＡ社、７０３・・・部品情報提供会社Ｂ社、７０４・・・製造・加工会社Ｃ社、７０５・・・ユニットメーカＤ社、１１０・・・部品評価システム、１０１・・・ＢＯＭデータベース、１０２・・・部品属性データベース、１０３・・・ＢＯＭ評価部、１１１・・・部品情報源データベース、１１２・・・不足情報抽出部、１１３・・・情報要求部、１１４・・・情報要求メッセージ、１１５・・・情報不足部品リスト、１２０・・・部品情報提供システム、１２１・・・部品属性作成部、１２２・・・部品属性登録部、１３０・・・収集部品情報提供システム、１３１・・・部品属性外部データベース、１３２・・・部品属性検索部、１３３・・・部品属性登録部、１４１・・・加工組立属性データベース、１５０・・・加工組立属性情報提供システム、１５１・・・加工組立属性作成部、１５２・・・加工組立属性登録部、１６０・・・ユニット部品情報提供システム、１６１・・・ユニットＢＯＭデータ作成部、１６２・・・ユニットＢＯＭ登録部、１７１・・・部品検索部、１７２・・・ＢＯＭ編集部、１８１・・・収集情報チェック部
【図１】
2005107883.tif 000003
【図２】
2005107883.tif 000004
【図３】
2005107883.tif 000005
【図４】
2005107883.tif 000006
【図５】
2005107883.tif 000007
【図６】
2005107883.tif 000008
【図７】
2005107883.tif 000009
【図８】
2005107883.tif 000010
【図９】
2005107883.tif 000011
【図１０】
2005107883.tif 000012
【図１１】
2005107883.tif 000013
【図１２】
2005107883.tif 000014
【図１３】
2005107883.tif 000015
【図１４】
2005107883.tif 000016
【図１５】
2005107883.tif 000017